(57)【要約】【課題】設置場所に応じて柔軟に対応可能で、しかも安価で最小の厚みを維持し得る電子機器の支持機構を提供する。【解決手段】電話機本体１を支持するチルトベース２の形状を、電話機本体１の卓上設置時に、電話機本体１に設けられた下ケース１ｂの下面部１ｂ１に係合する係合部２１と、下ケース１ｂの下面部１ｂ２に係合する係合部２２とを備える形状とし、さらに、壁掛け時に、チルトベース２の係合部２１が下ケース１ｂの下面部１ｂ２に係合し、係合部２２が下ケース１ｂの下面部１ｂ１に係合することができる形状とした。【選択図】      図２
2005136869.tif 000002
【特許請求の範囲】
【請求項１】
互いに設置角度が異なる第１の設置状態及び第２の設置状態を選択的にとり得、第１の下面部及びこの第１の下面部に対し斜め上方向に沿う第２の下面部を有する電子機器を支持する支持機構であって、
前記電子機器本体の少なくとも第１の下面部及び前記第２の下面部を支持するベース部と、
前記ベース部に設けられ、前記第１の設置状態時に前記電子機器が前記ベース部に支持された状態で前記第１の下面部に係合し、前記第２の設置状態時に前記電子機器が前記ベース部に支持された状態で前記第２の下面部に係合する第１の係合部と、
前記ベース部に設けられ、前記第１の設置状態時に前記電子機器が前記ベース部に支持された状態で前記第２の下面部に係合し、前記第２の設置状態時に前記電子機器が前記ベース部に支持された状態で前記第１の下面部に係合する第２の係合部とを備えることを特徴とする電子機器の支持機構。
【請求項２】
互いに設置角度が異なる第１の設置状態及び第２の設置状態を選択的にとり得、第１の下面部及びこの第１の下面部に対し斜め上方向に沿う第２の下面部を有する電子機器本体と、
前記電子機器本体の少なくとも第１の下面部及び前記第２の下面部を支持するベース部と、
前記ベース部に設けられ、前記第１の設置状態時に前記電子機器本体が前記ベース部に支持された状態で前記第１の下面部に係合し、前記第２の設置状態時に前記電子機器本体が前記ベース部に支持された状態で前記第２の下面部に係合する第１の係合部と、
前記ベース部に設けられ、前記第１の設置状態時に前記電子機器本体が前記ベース部に支持された状態で前記第２の下面部に係合し、前記第２の設置状態時に前記電子機器本体が前記ベース部に支持された状態で前記第１の下面部に係合する第２の係合部とを備えることを特徴とする一体型電子機器。
【請求項３】
前記電子機器本体に取り付けられ、かつ前記電子機器本体の第１の下面部から前記第２の下面部に沿って回転自在であり、前記ベース部に対する前記電子機器本体の設置角度を設定するアーム部をさらに備えることを特徴とする請求項２記載の一体型電子機器。
【請求項４】
前記アーム部は、前記第２の設置状態時に前記電子機器本体を前記ベース部に固定するための固定部を備えることを特徴とする請求項３記載の一体型電子機器。
【請求項５】
前記アーム部は、前記第２の設置状態時に前記ベース部に嵌合する突起部を備えることを特徴とする請求項３記載の一体型電子機器。
【請求項６】
前記ベース部は、前記電話機本体のコード配線用の切欠部を備えることを特徴とする請求項２記載の一体型電子機器。
【請求項７】
前記第１の設置状態は、前記電子機器本体を卓上に設置する状態であり、
前記第２の設置状態は、前記電子機器本体を壁に取り付ける状態であることを特徴とする請求項２記載の一体型電子機器。
【発明の詳細な説明】
【技術分野】
【０００１】
この発明は、例えば卓上置き状態と壁掛け状態とを選択的にとり得る電話機等の電子機器を所望の角度に載置するための電子機器の支持機構及びこの支持機構を備える一体型電子機器に関する。
【背景技術】
【０００２】
通常、電話機にあっては、その上面となる操作面に表示器、スピーカ、マイクロホン及びキーパッド等が配置されている。この種の電話機は、卓上置き状態で、チルトスタンドを用いて、電話機本体を所望の載置角度に設定することで、高い操作性と視認性を確保できる利点がある（例えば特許文献１）。
【０００３】
また、上記電話機では、設置スペースの関係上、壁に取り付けられる場合もある。この場合、表示器を見やすくするために、電話機の操作面の角度を変える必要がある。そこで、角度調整を電話機本体の下ケースを１８０°回転して取り付けることで行う方法が提案されている。また、壁掛け用の別部材を用いる方法も提案されている（例えば、特許文献２）。
【特許文献１】ＵＳ６，４４５，７９３  Ｂ１
【特許文献２】特開２００２−１４１９９５公報。
【発明の開示】
【発明が解決しようとする課題】
【０００４】
ところで、上記電話機本体の下ケースを利用する場合、チルトスタンドを電話機本体から取り外すため、チルトスタンドを紛失する場合があり、また下ケースの締結部ネジを外す等の作業が必要で工事が容易ではない。
【０００５】
また、壁掛け用の別部材の使用はコストアップを招くとともに、電話機本体及びチルトスタンドを含めた全体の厚みを増大させてしまうことになる。
【０００６】
そこで、この発明の目的は、設置場所に応じて柔軟に対応可能で、しかも安価で最小の厚みを維持し得る電子機器の支持機構及びこの支持機構を備える一体型電子機器を提供することにある。
【課題を解決するための手段】
【０００７】
この発明は、上記目的を達成するために、以下のように構成される。  
（１）互いに異なる第１の設置状態及び第２の設置状態を選択的にとり得る電子機器を支持する支持機構であって、電子機器本体の少なくとも第１の下面部及びこの第１の下面部に対し斜め上方向に沿う第２の下面部を支持するベース部と、ベース部に設けられ、第１の設置状態時に電子機器がベース部に支持された状態で第１の下面部に係合し、第２の設置状態時に電子機器がベース部に支持された状態で第２の下面部に係合する第１の係合部と、ベース部に設けられ、第１の設置状態時に電子機器がベース部に支持された状態で第２の下面部に係合し、第２の設置状態時に電子機器がベース部に支持された状態で第１の下面部に係合する第２の係合部とを備えるようにしたものである。
【０００８】
（１）の構成によれば、第１の設置状態時に、ベース部に設けられた第１の係合部が電子機器本体の第１の下面部に係合し、第２の係合部が電子機器本体の第２の下面部に係合することになり、第２の設置状態時に、ベース部に設けられた第１の係合部が電子機器本体の第２の下面部に係合し、第２の係合部が電子機器本体の第１の下面部に係合することになる。従って、第１の設置状態時及び第２の設置状態時において、同一のベース部を有効に活用することができ、別途、専用の部材を用いることなく、低コスト化に寄与できる。また、電子機器及びベース部を含む全体の厚みを決める場合に、第１の設置状態時及び第２の設置状態時のいずれか一方で、電子機器本体がベース部に支持された状態に基づいて、最小の厚みに設計することができ、これによりデッドスペースを少なくできる。
【０００９】
（２）電子機器本体に取り付けられ、電子機器本体の第１の下面部から第２の下面部に沿った方向に回転自在であり、ベース部に対する電子機器の設置角度を設定するアーム部をさらに備えることを特徴とする。  
（２）の構成によれば、ベース部に対する電子機器の載置角度を任意に設定できる。
【００１０】
（３）アーム部は、第２の設置状態時に電子機器本体をベース部に固定するための固定部を備えることを特徴とする。  
（３）の構成によれば、ネジ等を用いることなく電子機器の設置工事を容易に行うことができ、さらに電子機器がベース部から脱落することを防止できる。
【００１１】
（４）アーム部は、第２の設置状態時にベース部に嵌合する突起部を備えることを特徴とする。  
（４）の構成によれば、電子機器に対するベース部の取り付けが容易になる。
【００１２】
（５）ベース部は、電子機器のコード配線用の切欠部を備えることを特徴とする。  
（５）の構成によれば、電子機器設置時の配線処理が容易となる。
【発明の効果】
【００１３】
以上詳述したようにこの発明によれば、設置場所に応じて柔軟に対応可能で、しかも安価で最小の厚みを維持し得る電子機器の支持機構及びこの支持機構を備える一体型電子機器を提供することができる。
【発明を実施するための最良の形態】
【００１４】
以下、この発明の実施形態について図面を参照して詳細に説明する。  
（第１の実施形態）  
図１は、この発明の第１の実施形態における電話機の上面を示す平面図である。図２は、電話機を側面から見た図であり、電話機の支持機構の構成を分かりやすく示している。  
図１において、符号１は電話機本体で、その上面となる操作面１ａには、ＬＣＤ（Liquid Crystal Display）等を使用した表示器１０が配置され、さらにこの表示器１０の下方側にはダイヤルキー１１、機能キー１２、オートダイヤルキー（ＡＤ１〜ＡＤ１０）１３、フレキシブルキー（ＦＫ１〜ＦＫ２４）１４が配設されている。また、表示器１０の左側には、マイクロホン及びスピーカを内蔵したハンドセット１５が配置されている。
【００１５】
また、電話機本体１は、その下面部の構造が、図２及び図３に示すようになっている。すなわち、電話機本体１は、下面部１ｂ１及びこの下面部１ｂ１から上方向に向かって傾斜した下面部１ｂ２を有する下ケース１ｂが設けられている。この下ケース１ｂは、チルトベース２により着脱自在に支持されることになる。
【００１６】
下ケース１ｂ及びチルトベース２は、電話機本体１を所望の載置角度に設定するためのチルトスタンドを構成する。  
次に、チルトベース２について説明する。  
図２は、卓上設置状態であり、電話機本体１をその操作面１ａの表示器１０が上側になるようにチルトベース２に支持した状態である。図３は、壁掛け状態である。
【００１７】
図２において、チルトベース２は、卓上に対し平行な筐体２ａとこの筐体２ａに対し斜め上方向に立ち上がった筐体２ｂとを有する。また、チルトベース２には、電話機本体１を載置した時に、下ケース１ｂの下面部１ｂ１に係合する係合部２１と、下面部１ｂ２に係合する係合部２２とが形成されている。
【００１８】
そして、電話機本体１を壁に掛ける時に、電話機本体１はチルトベース２から取り外され、１８０°回転されたチルトベース２に再度装着されることになる。すると、チルトベース２の係合部２１が下ケース１ｂの下面部１ｂ２に係合し、係合部２２が下ケース１ｂの下面部１ｂ１に係合することになる。このため、電話機本体１の操作面１ａは、壁掛け時に好適した設置角度となり、使用者は見やすい位置で使用することができる。
【００１９】
以上のように上記第１の実施形態では、電話機本体１の卓上設置時に、チルトベース２に形成された係合部２１が電話機本体１に設けられた下ケース１ｂの下面部１ｂ１に係合し、係合部２２が下ケース１ｂの下面部１ｂ２に係合することになり、壁掛け時に、チルトベース２の係合部２１が下ケース１ｂの下面部１ｂ２に係合し、係合部２２が下ケース１ｂの下面部１ｂ１に係合することになる。
【００２０】
従って、卓上設置時／壁掛け時において、同一のチルトベース２を有効に活用することができ、壁掛け時に別途、専用の部材を用いることなく、これにより設置工事費等の削減を図ることができる。また、電話機本体１及びチルトベース２を含む全体の厚みを決める場合に、卓上設置時及び壁掛け時のいずれか一方で、電話機本体１がチルトベース２に載置された状態に基づいて、最小の厚みに設計することができ、これによりデッドスペースを少なくできる。
【００２１】
（第２の実施形態）  
この発明の第２の実施形態は、電話機本体１の載置角度を可変設定できるようにしたものである。
【００２２】
図４及び図５は、この第２の実施形態に係わるチルトスタンドの要部構成を示す斜視図である。
【００２３】
図４及び図５において、電話機本体１は、その略中央部に可変角度調整機構を構成するチルトアーム３を設けており、このチルトアーム３によりチルトベース２に対し上下方向に回動自在である。
【００２４】
チルトアーム３の一端は、電話機本体１の下ケース１ｂの略中央に軸１６により下面部１ｂ１，１ｂ２に沿った方向に回動自在に取り付けられる。また、チルトベース２には、図５に示すように、左右側壁にチルトアーム３を水平に往復移動自在に案内支持するために、ガイド溝２３（図５では左側のみ図示）が形成されている。このガイド溝２３は、奥側に上方向に向かって開設した開口部２３ａを有する。
【００２５】
さらに、チルトアーム３の他端には、ピン３１（図５では左側のみ図示）が左右に設けられており、対応するガイド溝２３に案内されるようになっている。この構造により、電話機本体１がチルトベース２に対し上下方向へ回動自在となっている。
【００２６】
また、チルトベース２は、その下面部に、チルトアーム３の他端を係止保持するために凹状に形成された複数の係止溝２４ａ１，２４ｂ１，２４ａ２，２４ｂ２，２４ａ３を有する。
【００２７】
このような構造により、電話機本体１を図５に示す状態から下方向に下げたい場合に、電話機本体１に対し下向きの力を加えると、チルトアーム３のピン３１がガイド溝２３により係止溝２４ａ１，２４ｂ１に案内される。以後、チルトアーム３の他端が係止溝２４ａ１，２４ｂ１に係止保持される。さらに、下方向に下げたい場合には、チルトアーム３のピン３１がガイド溝２３により係止溝２４ａ２，２４ｂ２に案内され、以後、チルトアーム３の他端が係止溝２４ａ２，２４ｂ２に係止保持される。また、電話機本体１を上方向に上げたい場合に、電話機本体１に対し上向きの力を加えると、チルトアーム３のピン３１がガイド溝２３により係止溝２４ａ１，２４ｂ１に案内される。以後、チルトアーム３の他端が係止溝２４ａ１，２４ｂ１に係止保持される。
【００２８】
また、チルトアーム３には、壁掛け時に電話機本体１の脱落防止のための爪部３２ａ，３２ｂ及び突起部３３ａ，３３ｂ、嵌合部３４ａ，３４ｂが設けられている。電話機本体１を壁に掛けて使用する場合に、電話機本体１に対し図４及び図５の状態から上向きの力を加えると、チルトアーム３のピン３１がガイド溝２３により開口部２３ａに案内され、これによりチルトアーム３がチルトベース２から離脱されるようになる。
【００２９】
そして、チルトアーム３が下ケース１ｂの下面部１ｂ２側へ折り畳まれ、以後、嵌合部３４ａ，３４ｂが下ケース１ｂの下面部１ｂ２に設けられた突起部１７を嵌合することにより、下ケース１ｂに固定されることになる。
【００３０】
以後、電話機本体１はチルトベース２から取り外され、１８０°回転されたチルトベース２に再度装着されることになる。すると、図６に示すように、爪部３２ａ，３２ｂは、チルトベース２の筐体２ｂの前壁面に係合する。この状態において、突起部３３ａ，３３ｂは、チルトベース２の筐体２ｂに設けられた切欠部２５の左右側壁に当接する。これにより電話機本体１は、チルトベース２にロックされ、壁掛け時に脱落せずに済む。
【００３１】
また、電話機本体１を卓上に置いて使用する場合に、電話機本体１に対し図６の状態から上向きの力を加えると、爪部３２ａ，３２ｂが、チルトベース２の筐体２ｂの前壁面から離脱され、これにより電話機本体１とチルトベース２とのロックが解除される。
【００３２】
また、上記切欠部２５は、電話機本体１に対する電話回線の配線処理を容易にするためのものである。
【００３３】
以上のように上記第２の実施形態では、電話機本体１の下ケース１ｂに、角度可変用のチルトアーム３を下面部１ｂ１，１ｂ２に沿った方向に回転自在となるように取り付けるようにしているので、卓上設置時に、チルトベース２に対する電話機本体１の操作面１ａの角度を任意に設定でき、これにより使用者は見やすい角度で電話機本体１を使用できる。
【００３４】
また、チルトベース２の係止溝２４ａ１，２４ｂ１，２４ａ２，２４ｂ２，２４ａ３をさらに増やすようにすれば、チルトベース２に対する電話機本体１の操作面１ａの角度を木目細かに設定できる。
【００３５】
さらに、壁掛け時に、チルトアーム３を電話機本体１の下ケース１ｂの下面部１ｂ２へ折り畳むようにしているので、チルトアーム３を取り外すといった面倒な作業が不要となり、壁掛け時に電話機本体１及びチルトベース２を含む全体の厚みを最小厚みで設置することができる。
【００３６】
また、チルトアーム３に、壁掛け時に電話機本体１の脱落防止のための爪部３２ａ，３２ｂ及び突起部３３ａ，３３ｂ、嵌合部３４ａ，３４ｂを設けるようにしているので、ネジ等を用いることなく電話機本体１の設置工事を容易に行うことができ、さらに電話機本体１がチルトベース２から脱落することを防止できる。
【００３７】
さらに、チルトベース２の筐体２ｂに、コード配線用の切欠部２５を設けるようにしているので、電話機設置時の配線処理が容易となる。
【００３８】
（その他の実施形態）  
この発明は、上記各実施形態に限定されるものではない。例えば、上記第２の実施形態では、可変角度調整機構としてチルトアームと、チルトベース中に形成される複数の係止溝とを備える例について説明した。しかしこれに限ることなく、複数の係止溝以外に、チルトベースに対する電話機本体の載置角度を維持できるような手段を用いるようにしてもよい。
【００３９】
また、上記第２の実施形態では、チルトアームに、電話機本体の脱落防止用の爪部、突起部及び嵌合部を設けるようにしたが、爪部、突起部及び嵌合部以外の電話機本体の脱落防止手段を用いるようにしてもよい。
【００４０】
また、上記第１の実施形態では、卓上設置状態から壁掛け状態に移る場合に、電話機本体を一旦チルトベースから取り外し、チルトベースを１８０°回転して再度設置する例について説明したが、引っ張りばね等によりチルトベースが電話機本体に取り付けられている場合には、取り外さずにチルトベースを１８０°回転して用いるようにしてもよい。
【００４１】
さらに、上記第１及び第２の実施形態では、電子機器として電話機を例にとって説明した。しかし、これに限定されるものではなく、パーソナル・コンピュータや携帯電話機、さらには携帯情報端末等にも同様に適用可能である。
【００４２】
その他、チルトベースといったベース部の構成や形状、電子機器の種類や構成、チルトアームといったアーム部の構成や形状、卓上／壁掛け以外の設置場所等についても、この発明の要旨を逸脱しない範囲で種々変形して実施できる。
【図面の簡単な説明】
【００４３】
【図１】この発明の第１の実施形態に係わる電話機の操作面を示す平面図。
【図２】同第１の実施形態において、卓上設置時に電話機がチルトベースに支持される状態を側面から見て示した平面図。
【図３】同第１の実施形態において、壁掛け時に電話機がチルトベースに支持される状態を側面から見て示した平面図。
【図４】この発明の第２の実施形態に係わり、卓上設置時の電話機を背面の下側から見て示した斜視図。
【図５】同第２の実施形態において、卓上設置時の電話機を背面の上側から見て示した斜視図。
【図６】同第２の実施形態において、壁掛け時に電話機がチルトベースに支持される状態を示す斜視図。
【符号の説明】
【００４４】
１…電話機本体、１ａ…操作面、１ｂ…下ケース、１ｂ１，１ｂ２…下面部、２…チルトベース、２ａ，２ｂ…筐体、３…チルトアーム、１０…表示器、１１…ダイヤルキー、１２…機能キー、１３…オートダイヤルキー、１４…フレキシブルキー、１５…ハンドセット、１６…軸、１７…突起部、２１，２２…係合部、２３…ガイド溝、２３ａ…開口部、２４ａ１，２４ｂ１，２４ａ２，２４ｂ２…係止溝、２５…切欠部、３１…ガイド溝、３１…ピン、３２ａ，３２ｂ…爪部、３３ａ，３３ｂ…突起部、３４ａ，３４ｂ…嵌合部。
【図１】
2005136869.tif 000003
【図２】
2005136869.tif 000004
【図３】
2005136869.tif 000005
【図４】
2005136869.tif 000006
【図５】
2005136869.tif 000007
【図６】
2005136869.tif 000008